【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
入力映像信号に輪郭強調処理を施す輪郭強調部と、
前記輪郭強調部において輪郭強調処理が施された輪郭強調済み信号に対して、所定のγ特性に基づいた階調変換処理を行う階調変換部とを備えた映像信号処理装置であって、
前記輪郭強調部は、前記入力映像信号の輪郭成分から輪郭強調信号を生成する輪郭成分検出部と、前記入力映像信号と輪郭強調信号とを合成して前記輪郭強調済み信号を生成する合成部と、前記γ特性に基づいて前記輪郭強調信号を補正する補正部とからなることを特徴とする映像信号処理装置。
【請求項２】
前記輪郭強調部は、前記補正がなされない輪郭強調処理が施された前記階調変換処理前の輪郭強調信号と、前記補正がなされた輪郭強調処理が施された前記階調変換処理後の輪郭強調信号とが等しくなるように、前記輪郭強調信号を補正することを特徴とする請求項１に記載の映像信号処理装置。
【請求項３】
入力信号に応じてγ特性を決定するダイナミックγ制御部を備え、
前記階調変換部は、前記決定されたγ特性に応じて書き換えられる階調変換テーブルを有し、
前記輪郭強調部は、前記階調変換テーブルの逆勾配の特性を有する変換テーブルに基づいて、前記輪郭強調信号を補正することを特徴とする請求項２に記載の映像信号処理装置。
【請求項４】
入力信号に応じてγ特性を決定するダイナミックγ制御部を備え、
前記階調変換部は、前記決定されたγ特性に応じて書き換えられる階調変換テーブルを有し、
前記輪郭強調部は、前記階調変換テーブルを逆変換する処理により、前記輪郭強調信号を補正することを特徴とする請求項２に記載の映像信号処理装置。
【請求項５】
入力映像信号に輪郭強調処理を施すステップと、
前記輪郭強調処理が施された輪郭強調済み信号に対して、所定のγ特性に基づいた階調変換処理を行うステップとを備えた映像信号処理方法であって、
前記入力映像信号の輪郭成分から輪郭強調信号を生成するステップと、
前記γ特性に基づいて前記輪郭強調信号を補正するステップと、
前記入力映像信号と補正された輪郭強調信号とを合成して前記輪郭強調済み信号を生成するステップとからなることを特徴とする映像信号処理方法。
【手続補正２】
【補正対象書類名】明細書
【補正対象項目名】００１０
【補正方法】変更
【補正の内容】
【００１０】
上記目的を達成するために、本発明は、入力映像信号に輪郭強調処理を施す輪郭強調部と、前記輪郭強調部において輪郭強調処理が施された輪郭強調済み信号に対して、所定のγ特性に基づいた階調変換処理を行う階調変換部とを備えた映像信号処理装置であって、前記輪郭強調部は、前記入力映像信号の輪郭成分から輪郭強調信号を生成する輪郭成分検出部と、前記入力映像信号と輪郭強調信号とを合成して前記輪郭強調済み信号を生成する合成部と、前記γ特性に基づいて前記輪郭強調信号を補正する補正部とからなることを特徴とする映像信号処理装置である。
【手続補正３】
【補正対象書類名】明細書
【補正対象項目名】００１１
【補正方法】変更
【補正の内容】
【００１１】
前記輪郭強調部は、前記補正がなされない輪郭強調処理が施された前記階調変換処理前の輪郭強調信号と、前記補正がなされた輪郭強調処理が施された前記階調変換処理後の輪郭強調信号とが等しくなるように、前記輪郭強調信号を補正することが好適である。
【手続補正４】
【補正対象書類名】明細書
【補正対象項目名】００１２
【補正方法】変更
【補正の内容】
【００１２】
前記映像信号処理装置は、入力信号に応じてγ特性を決定するダイナミックγ制御部を備え、前記階調変換部は、前記決定されたγ特性に応じて書き換えられる階調変換テーブルを有し、前記輪郭強調部は、前記階調変換テーブルの逆勾配の特性を有する変換テーブルに基づいて、前記輪郭強調信号を補正することが好適である。
【手続補正５】
【補正対象書類名】明細書
【補正対象項目名】００１３
【補正方法】変更
【補正の内容】
【００１３】
前記映像信号処理装置は、入力信号に応じてγ特性を決定するダイナミックγ制御部を
備え、前記階調変換部は、前記決定されたγ特性に応じて書き換えられる階調変換テーブルを有し、前記輪郭強調部は、前記階調変換テーブルを逆変換する処理により、前記輪郭強調信号を補正することが好適である。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
また、本発明は、入力映像信号に輪郭強調処理を施すステップと、前記輪郭強調処理が施された輪郭強調済み信号に対して、所定のγ特性に基づいた階調変換処理を行うステップとを備えた映像信号処理方法であって、前記入力映像信号の輪郭成分から輪郭強調信号を生成するステップと、前記γ特性に基づいて前記輪郭強調信号を補正するステップと、前記入力映像信号と補正された輪郭強調信号とを合成して前記輪郭強調済み信号を生成するステップとからなることを特徴とする映像信号処理方法である。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明によれば、輪郭強調処理が施された輪郭強調済み信号を階調変換した場合に、良好な輪郭強調効果を得られる。また、複雑な非線形特性をもつγ特性に対しても輪郭強調処理を正確に補正することが可能であり、同様に良好な輪郭強調効果が得られる。
【手続補正１０】
【補正対象書類名】明細書
【補正対象項目名】００２０
【補正方法】変更
【補正の内容】
【００２０】
図１において、輪郭強調部は、輪郭成分検出部４１１、補正ゲイン制御部（補正部に相当）及び加算器（合成部に相当）４１３からなり、補正ゲイン制御部はさらにゲインコントロール部４１２、逆勾配ＲＡＭテーブル４１４、及び逆勾配計算部４１５より構成される。また、階調変換部に相当するダイナミックγ補正部は、ダイナミックγ制御部とダイ
ナミックγ補正ＲＡＭテーブル４２３よりなり、さらにダイナミックγ制御部は、シーン特徴検出部４２１及びγ補正カーブ計算部４２２より構成される。また、図中ａ〜ｅ、βは各箇所での信号を示す。以上のように構成された本実施形態の動作を以下で説明する。
【手続補正１１】
【補正対象書類名】明細書
【補正対象項目名】００２２
【補正方法】変更
【補正の内容】
【００２２】
また、シーンを特徴検出部４２１では、１フレーム期間の映像信号ａからその映像シーンの特徴を検出する。ここで特徴とは例えばヒストグラムや、最大値、最小値、平均値、モード、偏差、黒面積、白面積等のことである。この特徴データを元にγ補正カーブ計算部４２２ではγ補正カーブが計算され、ダイナミックγ補正ＲＡＭテーブル４２３に記録される。また、このγ補正カーブは逆勾配計算部４１５にも供給される。この逆勾配計算部では各エントリィにおけるγ補正カーブの勾配の逆数が算出され、逆勾配ＲＡＭテーブル４１４に記憶される。逆勾配ＲＡＭテーブル４１４では映像信号ａがエントリィとして入力され、その信号レベルにおける記憶されているγ補正カーブの勾配の逆数がコントロール信号βとしてゲインコントロール部４１２に送られる。